(57)【要約】【課題】従来のネジ止め等と比較して壁パネルの着脱を容易とし、さらに間柱に対する壁パネルの前方への突出寸法を抑えて外観意匠性を向上させること。【解決手段】長尺形の壁パネル４が、隣合う間柱２の間隔よりも幅広の表面材４ｃと、表面材４ｃの背面の横幅方向Ｇ中央側から後方Ｂに膨出して間柱２間の空間部３に納められる背面膨出部４ａとを備えており、壁パネル４の背面側に係止具５を固定すると共に、間柱２の側面２ａ側に上記係止具５が前方Ｎから引掛け係止される被係止具６を固定する。上記壁パネル４の背面膨出部４ａを空間部３に配置し且つ表面材４ｃの横幅方向Ｇの両端部４ｂを間柱２の前方Ｎにそれぞれ配置した状態で、係止具５を前方Ｎから被係止具６に引掛けることで、壁パネル４全体が上記空間部３の後方Ｂに向かって引き寄せられながら間柱２に対して固定されるようにした壁パネルの設置構造である。【選択図】図１
2011047257.tif 000002
【特許請求の範囲】
【請求項１】
隣合う間柱間に長尺形の壁パネルを設置する構造であって、長尺形の壁パネルが、上記隣合う間柱の間隔よりも幅広の表面材と、表面材の背面の横幅方向中央側から後方に膨出して上記間柱間の空間部に納められる背面膨出部とを備えており、上記壁パネルの背面側に係止具を固定すると共に、上記間柱の側面側に上記係止具が前方から引掛け係止される被係止具を固定し、上記壁パネルの背面膨出部を上記空間部に配置し且つ表面材の横幅方向の両端部を間柱の前方にそれぞれ配置した状態で、係止具を前方から被係止具に引掛けることで、壁パネル全体が上記空間部の後方に向かって引き寄せられながら間柱に対して固定されるようにしたことを特徴とする壁パネルの設置構造。
【請求項２】
上記係止具が壁パネルの背面から後方に突出する鉤状に形成され、上記被係止具が間柱の側面の側方に突出する垂直板状に形成され、鉤状の係止具を前方から垂直板状の被係止具に引っ掛けた状態で鉤状の係止具が壁パネルを後方に引き寄せるようにして垂直板状の被係止具の背面に押接することを特徴とする請求項1記載の壁パネルの設置構造。
【請求項３】
上記係止具の被係止具に対する引掛け面が、壁パネルの背面から後ろ下方に向かって傾斜した傾斜面で形成されていることを特徴とする請求項1又は請求項２記載の壁パネルの設置構造。
【請求項４】
上記被係止具に対する係止具の引掛け方向と直交する横幅方向において、被係止具の横幅寸法を係止具の横幅寸法よりも幅広に形成したことを特徴とする請求項１乃至請求項３のいずれかに記載の壁パネルの設置構造。
【発明の詳細な説明】
【技術分野】
【０００１】
本発明は、長尺形の壁パネルを隣合う間柱間に設置する構造に関するものである。
【背景技術】
【０００２】
従来から、居室内を所望の音響状態となるように設定し得るサウンド機能を備えた長尺パネルを居室壁の一部に嵌め込んで設置する構造が知られている（例えば特許文献１参照）。
【０００３】
この種の長尺パネルをその長手方向全体に亘ってネジ止めによって壁表面に固定する場合においては、長尺パネルの着脱に手間がかかり、そのうえネジが長尺パネルの表面に露出した状態であると意匠性が損なわれる。そこでネジ頭を覆うカバー材を使用した場合でも、ネジ止めをしない場合と比較して、意匠性が低下するという問題がある。
【０００４】
なお、長尺パネルの長手方向の両端部のみをネジ止めすることも考えられるが、この場合、長尺パネルの壁表面に固定されない中央部分が撓んだり、或いは壁自体の変形等によって壁表面に密着しなくなる事態が発生するなど、長尺パネルの固定方法としては好ましくない。なお、長尺パネルを壁表面に接着する方法では、メンテナンスのために取り外しができなくなるという問題がある。
【先行技術文献】
【特許文献】
【０００５】
【特許文献１】特開平６−１５８７５０号公報参照
【発明の概要】
【発明が解決しようとする課題】
【０００６】
本発明は上記の従来の問題点に鑑みてなされたものであって、その目的とするところは、従来のネジ止め等と比較して長尺形の壁パネルの着脱が容易となり施工性及びメンテナンス性が向上すると共に、間柱に対する壁パネルの前方への突出寸法を抑えて外観意匠性を向上させることができる壁パネルの設置構造を提供することにある。
【課題を解決するための手段】
【０００７】
前記の課題を解決するために、本発明は、隣合う間柱２間に長尺形の壁パネル４を設置する構造であって、長尺形の壁パネル４が、上記隣合う間柱２の間隔よりも幅広の表面材４ｃと、表面材４ｃの背面の横幅方向Ｇ中央側から後方Ｂに膨出して上記間柱２間の空間部３に納められる背面膨出部４ａとを備えている。上記壁パネル４の背面側に係止具５を固定すると共に、上記間柱２の側面２ａ側に上記係止具５が前方Ｎから引掛け係止される被係止具６を固定する。上記壁パネル４の背面膨出部４ａを上記空間部３に配置し且つ表面材４ｃの横幅方向Ｇの両端部４ｂを間柱２の前方Ｎにそれぞれ配置した状態で、係止具５を前方Ｎから被係止具６に引掛けることで、壁パネル４全体が上記空間部３の後方Ｂに向かって引き寄せられながら間柱２に対して固定されるようにしたことを特徴としている。
【０００８】
このような構成とすることで、長尺形の壁パネル４の背面膨出部４ａを間柱２間の空間部３に納めるようにしながら壁パネル４の背面側の係止具５を前方Ｎから間柱２の側面２ａ側の被係止具６にそれぞれ引っ掛けるだけで、壁パネル４を間柱２に対して簡単に固定できる。このとき、壁パネル４全体が上記空間部３の後方Ｂに向かって引き寄せられるように係止されるので、間柱２に対する壁パネル４の表面材４ｃの前方Ｎへの突出寸法を小さく抑えることができるようになる。
【０００９】
本発明においては、上記係止具５が壁パネル４の背面１３ａから後方Ｂに突出する鉤状に形成され、上記被係止具６が間柱２の側面２ａの側方Ｊに突出する垂直板状に形成され、鉤状の係止具５を前方Ｎから垂直板状の被係止具６に引っ掛けた状態で鉤状の係止具５が壁パネル４を後方Ｂに引き寄せるようにして垂直板状の被係止具６の背面１３ａに押接するのが好ましい。
【００１０】
この場合、間柱２の側面２ａの側方Ｊの空間部３を利用して室内側からは見えない位置で被係止具６と係止具５とを外観良く引掛け係止できるようになり、しかも、鉤状の係止具５が垂直板状の被係止具６の背面１３ａに押接することにより壁パネル４が後方Ｂに引き寄せられて固定されるので、壁パネル４の表面材４ｃを間柱２の前面側にできる限り近づけて配置することが容易となる。
【００１１】
また本発明では、上記係止具５の被係止具６に対する引掛け面が、壁パネル４の背面から後ろ下方に向かって傾斜した傾斜面７で形成されているのが好ましい。
【００１２】
この場合、後ろ下方に傾斜した傾斜面７を被係止具６に引掛けたとき、壁パネル４の重量を利用して壁パネル４が上記空間部３の後方Ｂに向かって引き寄せられると同時に、係止具５が被係止具６に対して強固に係止された状態となる。
【００１３】
また、上記被係止具６に対する係止具５の引掛け方向Ｆと直交する横幅方向Ｇにおいて、被係止具６の横幅寸法Ｄを係止具５の横幅寸法Ｅよりも幅広に形成するのが好ましい。この場合、係止具５の引掛け範囲が広がり、様々な間柱２間隔の違いに対応できるようになる。
【発明の効果】
【００１４】
本発明は、壁パネル全体を間柱間の空間部の後方に向かって引き寄せながら壁パネルを前方から間柱の側面側に対して係止できるので、従来のネジ止めと比較して、壁パネルの着脱が容易となり施工性が向上すると共に、メンテナンスの際の取り外しや交換も楽に行うことができ、さらに間柱に対する壁パネルの表面材の前方への突出寸法を小さくできるので、外観意匠性が大幅に向上するものである。
【図面の簡単な説明】
【００１５】
【図１】本発明の長尺形の壁パネルを構成する機能パネルの設置構造の一実施形態を示し、（ａ）は設置前の平面図、（ｂ）は設置後の平面図である。
【図２】同上のパネル側固定部材と間柱側固定部材とを説明する斜視図である。
【図３】同上の機能パネルが設置される間柱間の空間部を説明する斜視図である。
【図４】（ａ）は本発明の他の実施形態のパネル側固定部材と間柱側固定部材の説明図であり、（ｂ）は両固定部材の楔形係止具と楔形被係止具とが互いにくい込んだ引掛け係合状態を説明する側面図である。
【図５】本発明の参考例を説明する平面図である。
【図６】本発明の更に他の実施形態の係止具と被係止具とを備えた場合の説明図であり、（ａ）は設置前の平面図、（ｂ）は設置後の平面図である。
【図７】図６の係止具と被係止具との引掛け方向を説明する斜視図である。
【図８】（ａ）は図６の係止具の正面図であり、（ｂ）は平面図であり、（ｃ）は左側面図であり、（ｄ）は右側面図である。
【図９】（ａ）は図６の被係止具の正面図であり、（ｂ）は平面図であり、（ｃ）は側面図である。
【図１０】（ａ）は従来の固定ネジによるパネル固定構造の一例を示す正面図であり、（ｂ）は従来のネジ頭を目地材でカバーする場合の他例を示す正面図である。
【発明を実施するための形態】
【００１６】
以下、本発明を添付図面に示す実施形態に基いて説明する。
【００１７】
本実施形態では長尺形の壁パネルの一例として、機能パネル４を例示する。本機能パネル４としては、室内の換気を行う換気機能パネルに限らず、例えば音響設備を組み込んだスピーカー機能付きパネル、室内の臭気や有害物質などを吸収あるいは吸着する機能材を組み込んだ空気清浄パネル、電気ヒータを組み込んだ輻射暖房パネル、照明用の光パネル等の様々な機能パネルが含まれる。勿論、本発明は、機能パネルに限られるものではなく、隣合う間柱間に設置される長尺形の壁パネルの分野全般に亘って広く適用されるものである。
【００１８】
本機能パネル４は、図１に示すように、表面材４ｃと、表面材４ｃの背面の横幅方向Ｇの中央側から後方Ｂに膨出した背面膨出部４ａとが一体に構成されたものであって、背面膨出部４ａは鋼板フレームで構成されていて、その内部に例えば室内の換気を行う換気機能部品が内装されている。機能パネル４全体の高さＨ（図３）は例えば１８００ｍｍ〜２５００ｍｍ程度とされ、表面材４ｃの厚さＣは例えば１５ｍｍ程度とされる。
【００１９】
機能パネル４の背面膨出部４ａは、隣合う間柱２間の空間部３に納められるものであり、表面材４ｃの横幅方向Ｇの両端部４ｂはそれぞれ、間柱２の前方Ｎに配置されるものである。本例では、表面材４ｃの両端部４ｂは、本機能パネル４の両側方にそれぞれ隣接配置される他の壁パネル（以下、「隣接壁パネル１」と称する）における間柱２の前端面に配置される壁表面１ａ部分を前方Ｎからそれぞれ覆うように配置される。
【００２０】
本機能パネル４は、パネル側固定部材８と間柱側固定部材９とを用いて、間柱２の側面２ａに対して固定される。この機能パネル４の背面側の左右２箇所には、左右一対のパネル側固定部材８が取り付けられる。各パネル側固定部材８は、背面膨出部４ａの左右両端部から表面材４ｃの背面に沿って突出した表面材取付部２５の裏面側に取り付けられるものであり、例えば剛性材からなる表面材取付部２５に対して溶接又はボルト止め等で強固に固定されている。各パネル側固定部材８は、図２に示すように、機能パネル４の長手方向Ａ全長に亘って延びる長尺鋼板で構成されていると共に、長手方向Ａ全体に亘って複数の係止具５がほぼ一定間隔をおいて突設されている。本例の係止具５は、パネル側固定部材８から切り起こされて後ろ下方に向かってアール形状に屈曲した傾斜面７を有する鉤形フックで構成されている。係止具５の傾斜面７は、後述の被係止具６に引掛けられる引掛け面としての働きに加えて、本機能パネル４自体の重量を利用して機能パネル４全体を引き寄せる方向Ｂに付勢する働きをする。
【００２１】
一方、隣合う間柱２の対向する側面２ａには、それぞれ、図１に示すように、間柱２間の空間部３に臨んで左右一対の間柱側固定部材９が固定される。各間柱側固定部材９は、図２に示すように、間柱２の長手方向Ａ全長に亘って延びる断面Ｌ字形の長尺鋼板で構成され、前片９ｂが空間部３の前方Ｎに露出する状態で、側片９ａが間柱２の側面２ａに対して強固に取り付けられる。取り付け方法としては、間柱２が金属製の場合は溶接又はボルト止めで固定し、間柱２が木製の場合はネジ止めで固定する。本例では前片９ｂは、間柱２の前端面と面一状に横方向に突出して空間部３に露出しており、この前片９ｂにはその長手方向Ａ全体に亘って複数の被係止具６がほぼ一定間隔をおいて設けられている。各被係止具６は、横長矩形の開口孔形状に形成されており、上記複数の係止具５とそれぞれ対応する位置に形成されている。本例では係止具５の引掛け方向Ｆと直交する横幅方向Ｇにおいて、被係止具６の横幅寸法Ｄを係止具５の横幅寸法Ｅ（＞Ｄ）よりも幅広に形成してある。
【００２２】
しかして、上記構成の機能パネル４を隣合う間柱２間に設置するにあたっては、機能パネル４を持ち上げて間柱２間の空間部３に背面膨出部４ａを挿入して表面材４ｃの両端部４ｂをそれぞれ隣接壁パネル１の壁表面１ａにあてがいながら、機能パネル４の背面に固定したパネル側固定部材８の各係止具５を前方Ｎから間柱２の側面２ａ側に固定した間柱側固定部材９の各被係止具６にそれぞれ引っ掛けながら機能パネル４を落とし込む。これにより、機能パネル４の重量を利用して係止具５の引掛け面、つまり、後ろ下方に向けてアール形状に屈曲している鉤形フックの傾斜面７が被係止具６にくい込んだ係止状態になると同時に、該傾斜面７によって機能パネル４全体が図１（ｂ）の矢印Ｂで示す空間部３の後方Ｂに引き寄せられながら係止される。従って、表面材４ｃの両端部４ｂが隣接壁パネル１の壁表面１ａに押し付けられて密着した状態（図１（ｂ））となる。またこのときパネル側固定部材８は剛性フレーム製の背面膨出部４ａの表面材取付部２５に対して強固に固定されており、間柱側固定部材９は間柱２の側面２ａに対して強固に固定されているため、係止具５と被係止具６との引掛け係合が確実に且つ強固になされる。この結果、従来のネジ止めと比較して、機能パネル４の施工がきわめて容易となる。
【００２３】
また上記引掛け係合状態において、上記パネル側固定部材８及び間柱側固定部材９は、いずれも機能パネル４の背後に隠れて室内側からは見えないものであり、また表面材４ｃの両端部４ｂは隣接壁パネル１の壁表面１ａに押し付けられていて壁表面１ａから浮くことがなく、従って、双方４ｃ,１ａの密着状態を長期に亘って維持できると共に、壁表面１ａからの機能パネル４全体の前方Ｎへの突出寸法が表面材４ｃの厚さＣのみとなる。この結果、従来のネジ止めと比較して、施工された機能パネル４の外観意匠性が大幅に向上する。
【００２４】
さらに、係止具５が被係止具６に引掛けられる方向Ｆ（図２）は機能パネル４の重量が作用する方向（鉛直方向）と一致しているため、意図的に機能パネル４を持ち上げない限り、係止具５が被係止具６から外れる心配がなく、ネジ止めの場合と同様な固定強度が得られる。その一方で、機能パネル４を持ち上げるだけで係止具５を被係止具６から簡単に外すことができるので、ネジ止めの場合と比較して、着脱の簡便性が向上すると共に、メンテナンスの際の取り外しや交換も楽に行うことができる。
【００２５】
ところで、間柱２の間隔は一般に４５５ｍｍ程度であるが、間柱２自体の寸法は多種存在するため、該間柱２間隔が様々になる場合がある。そこで本例では、被係止具６の横幅寸法Ｄを係止具５の横幅寸法Ｅよりも幅広に形成しているので、係止具５の引掛け範囲が広がり、これにより様々な間柱２間隔の違いに対応可能となり、施工性がより一層向上する利点もある。
【００２６】
なお図２の実施形態では、パネル側固定部材８に係止具５を設け、間柱側固定部材９に被係止具６を設けた構成としたが、これとは逆に、パネル側固定部材８に被係止具６を設け、間柱側固定部材９に係止具５を設けた構成としてもよい。この場合において、係止具５を構成する鉤形フックの傾斜面７を前斜め上方に向かってアール形状に屈曲した形状とすることで、開口孔形状の被係止具６を前方Ｎから係止具５に引掛けたときに、前記実施形態と同様に、壁パネル４全体が空間部３の後方Ｂに向かって引き寄せられながら引掛け係合されるものとなる。
【００２７】
図４は、係止具５と被係止具６の他の実施形態の一例である。本例では係止具５が楔形係止具５Ａで構成され、被係止具６が楔形被係止具６Ａで構成されている。他の構成は、前記実施形態と同様であり、対応する部位には同一符号を付しておく。本例の楔形係止具５Ａは、パネル側固定部材８の長手方向に間隔をあけて突設された横幅寸法Ｅの狭い複数個の方形ブロック１０からなり、各方形ブロック１０の下端の引掛け面が後ろ下方に向けて傾斜した傾斜面１０ａとなっている。一方、楔形被係止具６Ａは、間柱側固定部材９の長手方向に間隔をあけて突設された横幅寸法Ｄの複数個の広い方形ブロック１０からなり、各方形ブロック１１の上端面が上記傾斜面１０ａと平行な方向（後ろ下方）に傾斜した楔形状面１１ａとなっている。
【００２８】
このように楔形係止具５Ａの下端面と楔形被係止具６Ａの上端面とを共に楔形状に形成することで、楔形係止具５Ａを楔形被係止具６Ａに対して矢印Ｆ方向に引掛けるだけで、図４（ｂ）のように、本機能パネル４自身の重量を利用して傾斜面１０ａと楔形状面１１ａとが互いにくい込んだ係合状態となり、またこのとき機能パネル４全体が前記図１と同様に空間部３の後方Ｂに引き寄せられるようになる。また本例においても、楔形被係止具６Ａの横幅寸法Ｄを楔形係止具５Ａの横幅寸法Ｅ（＞Ｄ）よりも幅広に形成することで、楔形係止具５Ａの引掛け範囲が広がり、これにより様々な間柱２間隔の違いに対応可能となる。
【００２９】
なお図４の実施形態では、パネル側固定部材８に楔形係止具５Ａを設け、間柱側固定部材９に楔形被係止具６Ａを設けた構成としたが、これとは逆に、パネル側固定部材８に楔形被係止具６Ａを設け、間柱側固定部材９に楔形係止具５Ａを設ける構成としてもよいものである。
【００３０】
なお、前記各実施形態では、係止具５を備えるパネル側固定部材８を機能パネル４とは別体に構成したが、機能パネル４の背面膨出部４ａを構成する鋼板フレームから上下複数の係止具５を一体に突設させる構造とすることも可能である。この場合、背面膨出部４ａ自体がパネル側固定部材８を兼ねる構造となり、部品数を削減できる利点がある。
【００３１】
また前記実施形態において、パネル側固定部材８から係止具５を構成する鉤形フックを切り起こし形成し、或いは楔形フックを一体形成したが、パネル側固定部材８と係止具５とを別体で構成し、係止具５をパネル側固定部材８に対して後付けする方法であってもよい。
【００３２】
ところで本発明の参考例として、例えば図５に示すように、パネル側固定部材８を機能パネル４の表面材４ｃの横幅方向Ｇの両端部４ｂの裏面に固定する構成も可能であるが、この場合、パネル側固定部材８の厚みによって表面材４ｃの両端部４ｂが隣接壁パネル１から浮く形となり、前記各実施形態と比較して、意匠上好ましくない。
【００３３】
図６〜図９は、本発明の更に他の実施形態の一例である。本例では鉤状片１５を有する鉤状の係止具５Ｂと、垂直板状片１３を有する垂直板状の被係止具６Ｂを例示する。他の構成は、前記図1、図３の実施形態と同様であり、対応する部位には同一符号を付しておく。
【００３４】
本例の被係止具６Ｂは、間柱２の側面２ａの上下方向に間隔をあけて複数個所に取り付けられる。各被係止具６Ｂは、図９に示すように、間柱固定片１２とこの間柱固定片１２の中央寄りの位置から間柱固定片１２と直交する方向に突出した垂直板状片１３とを一体に備えたＴ型金具からなり、間柱固定片１２のネジ孔部１２ａを間柱２の側面２ａにネジ固定した状態で、垂直板状片１３が間柱２の側面２ａの側方Ｊ（図６（ａ））に向けて突出するように配置される。
【００３５】
本例の係止具６Ｂは、図８に示すように、機能パネル４の表面材４ｃの背面の上下方向に間隔をあけたて複数個所に取り付けられる。各係止具５Ｂは、それぞれ、パネル固定片１４とこのパネル固定片１４の側端部からパネル固定片１４と直交する方向に突出した鉤状片１５とを一体に備えたＬ型金具からなり、パネル固定片１４のネジ孔部１４ａを機能パネル４の表面材４ｃの背面にネジ固定した状態で、鉤状片１５が機能パネル４の背面から後方Ｂ（図６（ａ））に向けて突出するように配置される。
【００３６】
本例の鉤状片１５の厚みＫは、図７に示すように、被係止具６Ｂの垂直板状片１３の横幅寸法Ｌよりも幅狭（Ｌ＞Ｋ）に形成してある。鉤状片１５の上部はパネル固定片１４と連なっており、下部はパネル固定片１４から隙間１６をあけて下方に突出しており、隙間１６の下方から垂直板状片１３が挿入されるようになっている。
【００３７】
さらに鉤状片１５のパネル固定片１４と隙間１６をあけて対向する面の下端部には、パネル固定片１４に近接する方向に向けて凸となるように押接部１８が突設されており、この押接部１８の下面部分が垂直板状片１３に対する引掛け面１７となっている。本例の引掛け面１７は、押接部１８から離れるに従ってパネル固定片１４から離反する方向に傾斜した傾斜面１７ａで形成されており、この傾斜方向Ｐ（図７）は機能パネル４の背面から後ろ下方に向かって傾斜する方向となっている。
【００３８】
本例の機能パネル４を取り付けるにあたっては、前記図１の実施形態と同じ要領で、機能パネル４を持ち上げて機能パネル４の背面膨出部４ａ（図６）を間柱２間の空間部３に挿入した状態で、表面材４ｃ側の係止具５Ｂの鉤状片１５を間柱２側の被係止具６Ｂの垂直板状片１３に対して図７の矢印Ｆ方向に引っ掛けるようにして機能パネル４を落とし込む。このとき、図８（ａ）の矢印ｔで示す方向に鉤状片１５下端の引掛け面１７が垂直板状片１３の上端から垂直板状片１３の背面１３ａに滑り落ちて、鉤状片１５とパネル固定片１４間の隙間１６に垂直板状片１３が嵌まり込んだ状態となる。このとき、鉤状片１５の引掛け面１７上端に位置する押接部１８が機能パネル４を後方Ｂに引き寄せるようにして垂直板状片１３の背面１３ａに押接した状態となる。これにより、機能パネル４は空間部３の後方Ｂに引き寄せられた位置で固定され、表面材４ｃの両端部４ｂが隣接壁パネル１の壁表面１ａに押し付けられて密着した状態（図６（ｂ）の状態）となる。
【００３９】
しかして、上記鉤状の係止具５Ｂと垂直板状の被係止具６Ｂとの係合によって、間柱２に対する機能パネル４の表面材４ｃの前方Ｎへの突出寸法を小さく抑えながら、機能パネル４の間柱２への固定をきわめて容易に行うことができるものであり、しかも、係止具５Ｂの引掛け方向Ｆ（図７）は機能パネル４の重量が作用する方向（鉛直方向）と一致しているため、機能パネル４自身の重量を利用して引掛け動作ができ、ネジ止めの場合と比較して、施工性が一層向上すると共に、メンテナンスの際の取り外しや交換も楽に行うことができる利点がある。
【００４０】
また、間柱２の側面２ａの側方Ｊの空間部３を利用して被係止具６Ｂと係止具５Ｂとを引掛け係止できるので、機能パネル４の表面材４ｃを間柱２の前面側にできる限り近づけて配置することが容易となり、しかも被係止具６Ｂと係止具５Ｂは機能パネル４の背後に隠れて室内側からは見えないので、意匠上においても好ましいものとなる。
【００４１】
ちなみに図１０（ａ）のような固定ネジ２０による固定では、着脱のための手間がかかるうえに、固定ネジ２０のネジ頭が機能パネル４表面に露出して意匠性が低下するものであり、一方、図１０（ｂ）のような目地材２１を用いてネジ頭をカバーする場合でも、目地材２１によって機能パネル４の意匠性が低下するものとなり、これにより本機能パネル４に用いる係止具５（５Ｂ）及び被係止具６（６Ｂ）は、着脱の容易性及び意匠性において共に好ましいものである。
【００４２】
さらに本例では、垂直板状片１３の横幅寸法Ｌは、鉤状片１５の厚みＫよりも幅広（Ｌ＞Ｋ）に形成されているので、垂直板状片１３に対する鉤状片１５の引掛け範囲が広がり、これにより、様々な間柱２間隔の違いに対応可能になる利点もある。
【００４３】
本実施形態においては、複数の係止具５Ｂと複数の被係止具６Ｂとを用いる場合を説明したが、例えば、パネル固定片１４を縦長状に形成して、このパネル固定片１４の長さ方向に間隔をあけて複数の鉤状片１５を一体形成することで単一の係止具５Ｂを構成し、また間柱固定片１２を縦長状に形成して、この間柱固定片１２の長さ方向に間隔をあけて複数の垂直板状片１３を一体形成することで単一の被係止具６Ｂを構成することも可能である。
【符号の説明】
【００４４】
２  間柱
２ａ  側面
３  空間部
４  壁パネル
４ａ  背面膨出部
４ｂ  表面材端部
５  係止具
６  被係止具
７  傾斜面
８  パネル側固定部材
９  間柱側固定部材
１３ａ  被係止具の背面
Ａ  壁パネルの長手方向
Ｂ  後方
Ｃ  壁パネルの厚さ
Ｄ  係止具の横幅寸法
Ｅ  被係止具の横幅寸法
Ｆ  引掛け方向
Ｊ  側方
Ｎ  前方
【図１】
2011047257.tif 000003
【図２】
2011047257.tif 000004
【図３】
2011047257.tif 000005
【図４】
2011047257.tif 000006
【図５】
2011047257.tif 000007
【図６】
2011047257.tif 000008
【図７】
2011047257.tif 000009
【図８】
2011047257.tif 000010
【図９】
2011047257.tif 000011
【図１０】
2011047257.tif 000012